(57)【要約】【課題】画像情報を記録する画像記録装置と、この画像情報をファイリングして表示する画像ファイリング装置との間で、動作状態の確認を行うためのログの受け渡しを行って、画像記録装置の動作状態を確認して画像情報を得ること。【解決手段】画像記録装置である受信装置２の画像記録のエラー状態を、外部装置２ｂの記録状態検知部Ｃ２で検知し、この検知結果に基づくログ情報をログ生成部Ｃ３で生成し、このログ情報を記録した画像情報とともに記憶部１３に記録し、画像ファイリング装置であるＷＳ４に送出し、このＷＳ４の解析部Ｄ２で記憶部１３に記録されたログの解析を行って画像データをダウンロードするかどうか判断する。【選択図】        図３
2006155242.tif 000002
【特許請求の範囲】
【請求項１】
撮影された画像情報を記録する画像記録手段と、
画像記録装置の所定状態を検知する検知手段と、
前記検知手段の検知結果に基づくログ情報を生成するログ生成手段と、
前記ログ生成手段で生成されたログ情報を記録する第１のログ記録手段と、
を備えることを特徴とする画像記録装置。
【請求項２】
前記第１のログ記録手段に記録されたログ情報を、前記画像情報とともに前記画像記録手段に記録する記録制御手段を、
さらに備えることを特徴とする請求項１に記載の画像記録装置。
【請求項３】
画像記録手段に記録された画像情報および画像記録装置に関するログ情報を取り込む取込手段と、
前記取込手段で取り込んだログを解析し、前記画像記録装置の動作状態を判断する解析手段と、
を備えることを特徴とする画像ファイリング装置。
【請求項４】
前記取込手段で取り込んだログ情報を記録する第２のログ記録手段と、
前記解析手段の解析結果に基づき、警告を発する警告手段と、
をさらに備えることを特徴とする請求項３に記載の画像ファイリング装置。
【請求項５】
前記解析手段の解析結果に基づき、所定処理を変更する変更手段を、
さらに備えることを特徴とする請求項３または４に記載の画像ファイリング装置。
【請求項６】
撮影された画像情報を記録する画像記録手段と、
画像記録装置の所定状態を検知する検知手段と、
前記検知手段の検知結果に基づくログ情報を生成するログ生成手段と、
前記ログ生成手段で生成されたログ情報を記録する第１のログ記録手段と、
前記第１のログ記録手段に記録されたログ情報を、前記画像情報とともに前記画像記録手段に記録する記録制御手段と、
を有する画像記録装置と、
前記画像記録手段に記録された画像情報およびログ情報を取り込む取込手段と、
前記取込手段で取り込んだログを解析し、前記画像記録装置の動作状態を判断する解析手段と、
を有する画像ファイリング装置と、
を備えることを特徴とする画像ファイリングシステム。
【請求項７】
前記画像ファイリング装置は、
前記取込手段で取り込んだログ情報を記録する第２のログ記録手段と、
前記解析手段の解析結果に基づき、警告を発する警告手段と、
をさらに備えることを特徴とする請求項６に記載の画像ファイリングシステム。
【請求項８】
前記画像ファイリング装置は、
前記解析手段の解析結果に基づき、所定処理を変更する変更手段を、
さらに備えることを特徴とする請求項６または７に記載の画像ファイリングシステム。
【請求項９】
前記検知手段は、前記画像記録装置の所定状態として、該画像記録装置の所定の動作状態を検知し、前記ログ生成手段は、前記検知手段の検知結果に基づき、前記画像記録装置の動作を記録した動作用のログ情報を生成することを特徴とする請求項６〜８のいずれか一つに記載の画像ファイリングシステム。
【請求項１０】
前記検知手段は、前記画像記録装置の所定状態として、該画像記録装置の所定のエラー状態を検知し、前記ログ生成手段は、前記検知手段の検知結果に基づき、前記画像記録装置のエラーを記録したエラー用のログ情報を生成することを特徴とする請求項６〜８のいずれか一つに記載の画像ファイリングシステム。
【請求項１１】
撮影された画像情報を画像記録装置の画像記録手段に記録する画像記録工程と、
前記画像記録装置の所定状態を検知する検知工程と、
前記検知結果に基づくログ情報を生成する生成工程と、
前記生成されたログ情報を第１のログ記録手段に記録する第１のログ記録工程と、
前記第１のログ記録手段に記録されたログ情報を、前記画像情報とともに前記画像記録手段に記録する記録制御工程と、
前記画像記録手段に記録された画像情報およびログ情報を画像ファイリング装置に取り込む取込工程と、
前記取り込んだログを解析し、前記画像記録装置の動作状態を判断する解析工程と、
を含むことを特徴とする画像ファイリング方法。
【発明の詳細な説明】
【技術分野】
【０００１】
本発明は、被検体内部の画像情報を記録する画像記録装置と、この画像情報をファイリングして表示する画像ファイリング装置と、これら装置を備える画像ファイリングシステムに関し、特に画像記録装置と画像ファイリング装置間でログの取得および解析を行う画像記録装置、画像ファイリング装置、画像ファイリングシステムおよび画像ファイリング方法に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次Ｂｌｕｅｔｏｏｔｈなどの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段を有するワークステーションなどに表示させて診断を行うことができる。
【０００４】
一般に、受信装置は、カプセル型内視鏡から送信される映像信号を受信するための複数のアンテナを被検体外部に分散配置し、映像信号の受信強度が強い１つのアンテナを選択切り替えして受信するようにしている。なお、特許文献１には、受信装置で受信された画像データに、時刻などの付加情報を付加してワークステーションなどの表示装置に記録する生体内画像記録装置が記載されている。
【０００５】
【特許文献１】米国特許出願公開第２００２／０１７１６６９号明細書
【発明の開示】
【発明が解決しようとする課題】
【０００６】
しかしながら、この特許文献１では、受信装置とワークステーションとの間で、動作状態の確認を行うための通信がなされておらず、ワークステーション側では、受信装置の不具合や画像が正しく記録されているかなどの情報を得ることができないという問題があった。
【０００７】
本発明は、上記問題に鑑みてなされたものであって、画像情報を記録する画像記録装置と、この画像情報をファイリングして表示する画像ファイリング装置との間で、動作状態の確認を行うためのログの受け渡しを行って、画像記録装置の動作状態を確認して画像情報を得ることができる画像記録装置、画像ファイリング装置、画像ファイリングシステムおよび画像ファイリング方法を提供することを目的とする。
【課題を解決するための手段】
【０００８】
上述した課題を解決し、目的を達成するために、本発明にかかる画像記録装置は、撮影された画像情報を記録する画像記録手段と、画像記録装置の所定状態を検知する検知手段と、前記検知手段の検知結果に基づくログ情報を生成するログ生成手段と、前記ログ生成手段で生成されたログ情報を記録する第１のログ記録手段と、を備えることを特徴とする。
【０００９】
また、請求項２の発明にかかる画像記録装置は、前記第１のログ記録手段に記録されたログ情報を、前記画像情報とともに前記画像記録手段に記録する記録制御手段を、さらに備えることを特徴とする。
【００１０】
また、請求項３の発明にかかる画像ファイリング装置は、画像記録手段に記録された画像情報および画像記録装置に関するログ情報を取り込む取込手段と、前記取込手段で取り込んだログを解析し、前記画像記録装置の動作状態を判断する解析手段と、を備えることを特徴とする。
【００１１】
また、請求項４の発明にかかる画像ファイリング装置は、上記発明において、前記取込手段で取り込んだログ情報を記録する第２のログ記録手段と、前記解析手段の解析結果に基づき、警告を発する警告手段と、をさらに備えることを特徴とする。
【００１２】
また、請求項５の発明にかかる画像ファイリング装置は、上記発明において、前記解析手段の解析結果に基づき、所定処理を変更する変更手段を、さらに備えることを特徴とする。
【００１３】
また、請求項６の発明にかかる画像ファイリングシステムは、撮影された画像情報を記録する画像記録手段と、画像記録装置の所定状態を検知する検知手段と、前記検知手段の検知結果に基づくログ情報を生成するログ生成手段と、前記ログ生成手段で生成されたログ情報を記録する第１のログ記録手段と、前記第１のログ記録手段に記録されたログ情報を、前記画像情報とともに前記画像記録手段に記録する記録制御手段と、を有する画像記録装置と、前記画像記録手段に記録された画像情報およびログ情報を取り込む取込手段と、前記取込手段で取り込んだログを解析し、前記画像記録装置の動作状態を判断する解析手段と、を有する画像ファイリング装置と、を備えることを特徴とする。
【００１４】
また、請求項７の発明にかかる画像ファイリングシステムは、上記発明において、前記画像ファイリング装置は、前記取込手段で取り込んだログ情報を記録する第２のログ記録手段と、前記解析手段の解析結果に基づき、警告を発する警告手段と、をさらに備えることを特徴とする。
【００１５】
また、請求項８の発明にかかる画像ファイリングシステムは、上記発明において、前記画像ファイリング装置は、前記解析手段の解析結果に基づき、所定処理を変更する変更手段を、さらに備えることを特徴とする。
【００１６】
また、請求項９の発明にかかる画像ファイリングシステムは、上記発明において、前記検知手段は、前記画像記録装置の所定状態として、該画像記録装置の所定の動作状態を検知し、前記ログ生成手段は、前記検知手段の検知結果に基づき、前記画像記録装置の動作を記録した動作用のログ情報を生成することを特徴とする。
【００１７】
また、請求項１０の発明にかかる画像ファイリングシステムは、上記発明において、前記検知手段は、前記画像記録装置の所定状態として、該画像記録装置の所定のエラー状態を検知し、前記ログ生成手段は、前記検知手段の検知結果に基づき、前記画像記録装置のエラーを記録したエラー用のログ情報を生成することを特徴とする。
【００１８】
また、請求項１１の発明にかかる画像ファイリング方法は、撮影された画像情報を画像記録装置の画像記録手段に記録する画像記録工程と、前記画像記録装置の所定状態を検知する検知工程と、前記検知結果に基づくログ情報を生成する生成工程と、前記生成されたログ情報を第１のログ記録手段に記録する第１のログ記録工程と、前記第１のログ記録手段に記録されたログ情報を、前記画像情報とともに前記画像記録手段に記録する記録制御工程と、前記画像記録手段に記録された画像情報およびログ情報を画像ファイリング装置に取り込む取込工程と、前記取り込んだ画像情報を第２の画像記録手段に記録する第２の画像記録工程と、前記取り込んだログを解析し、前記画像記録装置の動作状態を判断する解析工程と、を含むことを特徴とする。
【発明の効果】
【００１９】
本発明にかかる画像記録装置は、画像記録装置の所定状態を検知し、この検知結果に基づくログ情報を生成し、このログ情報を記録した画像情報とともに記録し、画像ファイリング装置へ送出することで、画像情報を記録する画像記録装置と、この画像情報をファイリングして表示する画像ファイリング装置との間で、動作状態の確認を行うためのログの受け渡しを行うことができ、これにより画像ファイリング装置が画像記録装置の動作状態を確認して画像情報を得ることができるという効果を奏する。
【００２０】
本発明にかかる画像ファイリング装置は、画像記録装置との情報の受け渡しにおいて、前記画像記録装置から取り込んだログ情報を解析して、画像記録装置の動作状態を判断することで、画像記録装置の動作状態を確認して画像情報を得ることができるという効果を奏する。
【発明を実施するための最良の形態】
【００２１】
以下に、本発明にかかる画像記録装置、画像ファイリング装置、画像ファイリングシステムおよび画像ファイリング方法の実施の形態を図１〜図１１の図面に基づいて詳細に説明する。なお、本発明は、これらの実施の形態に限定されるものではなく、本発明の要旨を逸脱しない範囲で種々の変更実施の形態が可能である。
【００２２】
（実施の形態１）
図１は、本発明にかかる画像記録装置としての受信装置および画像ファイリング装置としての表示装置を備えた無線型被検体内情報取得システムの全体構成を示す模式図である。図１において、無線型被検体内情報取得システムは、無線受信装置能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する表示装置４と、受信装置２と表示装置４との間でデータの受け渡しを行うための携帯型記録媒体５とを備える。受信装置２は、被検体１によって着用される受信ジャケット２ａと、受信される無線信号の処理などを行う外部装置２ｂとを備える。なお、受信装置２、表示装置４および携帯型記録媒体５は、画像ファイリングシステムを構成している。
【００２３】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００２４】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、たとえば検査前には、ワークステーションの表示装置４に挿着されて検査ＩＤなどの識別情報が記憶され、さらに検査の直前には、外部装置２ｂに挿着され、この外部装置２ｂによって、この識別情報が読み出されて外部装置２ｂ内に登録される。また、カプセル型内視鏡３が被検体１の体腔内を移動している間は、携帯型記録媒体５は、被検体１に取り付けられた外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００２５】
次に、図２のブロック図を用いて受信装置の構成について説明する。受信装置２は、カプセル型内視鏡３から無線送信された体腔内の画像データを受信する機能を有する。図２に示すように、受信装置２は、被検体１によって着用可能な形状を有し、受信用アンテナＡ１〜Ａｎを備えた受信ジャケット２ａと、受信ジャケット２ａを介して受信された無線信号の処理などを行う外部装置２ｂとを備える。なお、各受信用アンテナＡ１〜Ａｎは、直接被検体（人体）１の外表面に貼付して、受信ジャケット２ａに備え付けられなくてもよく、また受信ジャケット２ａに着脱可能なものでもよい。
【００２６】
外部装置２ｂは、カプセル型内視鏡３から送信された無線信号の処理を行う機能を有する。すなわち、外部装置２ｂは、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調する受信回路１１とを有し、さらに受信回路１１の後段には、信号処理回路１２と、サンプルホールド回路１５とが接続される。サンプルホールド回路１５の後段には、さらにＡ／Ｄ変換部１６が接続される。
【００２７】
制御部Ｃは、制御手段としての選択制御部Ｃ１を有し、信号処理回路１２、Ａ／Ｄ変換部１６、携帯型記録媒体５に対応する記憶部１３、表示部１４および切替制御部ＳＣを接続する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６および選択制御部Ｃ１の処理タイミングを指示する。また、制御部Ｃは、後述する内部メモリＣ４を有し、記憶部１３に記憶された検査ＩＤなどの被検者を識別するための検査情報をこの内部メモリＣ４に登録する。電力供給部１７は、たとえば市販の乾電池からなり、上述した各内部機器への電力供給を行う。なお、記憶部１３は、携帯型記録媒体５とこの携帯型記録媒体５を駆動する図示しない駆動回路などから構成されている。
【００２８】
外部装置２ｂの切替スイッチＳＷは、切替制御部ＳＣからの切替指示に基づき、受信用アンテナＡ１〜Ａｎからの無線信号を受信回路１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２９】
さて、図２において、受信回路１１は、上述したように、無線信号を増幅し、復調した映像信号Ｓ１を信号処理回路１２に出力するとともに、増幅した無線信号の受信電界強度である受信強度信号Ｓ２をサンプルホールド回路１５に出力する。信号処理回路１２によって処理された映像データ（画像データ）は、制御部Ｃによって、画像記録手段としての記憶部１３に記憶されるとともに、表示部１４によって表示出力される。サンプルホールド回路１５によってサンプルホールドされた信号は、Ａ／Ｄ変換部１６によってデジタル信号に変換され、制御部Ｃに取り込まれ、最も大きい受信電界強度を受信した受信用アンテナを映像信号期間の受信用アンテナとして選択するとともに、この選択された受信用アンテナ以外の受信用アンテナを順次、強度受信期間の受信用アンテナとして選択し、それぞれの受信用アンテナ番号を、映像受信アンテナ番号Ｎ２、強度受信アンテナ番号Ｎ１とする信号Ｓ４として切替制御部ＳＣに出力する。ここで、選択制御部Ｃ１が切替対象の受信用アンテナとして設定するのは、信号Ｓ６をもとに現に接続された受信用アンテナＡ１〜Ａｎのみを対象とする。また、制御部Ｃは、強度受信期間の受信電界強度および映像受信期間の受信電界強度を、そのとき選択された受信用アンテナと対応付けて映像データとともに第１の画像記録手段としての記憶部１３に記憶する。この記憶された各受信用アンテナの受信電界強度は、映像データが受信されたときの体腔内のカプセル型内視鏡３の位置を算出するための情報となる。
【００３０】
切替制御部ＳＣは、選択制御部Ｃ１に指示された強度受信アンテナ番号Ｎ１と映像受信アンテナ番号Ｎ２とを保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂ、選択制御部Ｃ１による選択制御タイミングを指示する信号Ｓ３ｃを出力する。
【００３１】
図３は、図１に示した外部装置２ｂと表示装置４の要部である画像ファイリングシステムを示すブロック図である。外部装置２ｂの制御部Ｃは、上述した選択制御部Ｃ１の他に、記憶部１３に記録された画像データの記録状態を検知する検知手段としての記録状態検知部Ｃ２と、この記録状態検知部Ｃ２の検知結果に基づいた書き込みに関するログ情報を生成するログ生成手段としてのログ生成部Ｃ３と、このログ生成部Ｃ３で生成されたログを記録する第１のログ記録手段としての内部メモリＣ４とを備える。
【００３２】
この記録状態検知部Ｃ２は、画像データの記録状態を検知するもので、この検知内容としては、たとえば携帯型記録媒体（コンパクトフラッシュ（登録商標）メモリ、以下「ＣＦ」という）５の記録容量不足やこのＣＦ５のメディアそのものの不良などを含む外部装置の画像書き込みに関するエラーを検知しており、ログ生成部Ｃ３は、このエラーに対応するログ情報を生成し、このログ情報を内部メモリＣ４に順次記録している。また、制御部Ｃは、記録制御手段としての機能を有しており、画像データの受信が終了すると、内部メモリＣ４に記録されたログ情報を、画像データとともに記憶部１３にセットされたＣＦ５に記録する。
【００３３】
表示装置（ワークステーション、以下「ＷＳ」という）４は、ＣＦ５に対応する第２の画像記録手段としての記憶部４１と、記憶部４１に記録されている画像データを表示する表示器４２と、画像記録に関する異常を警告するための警告手段としての警告装置４３と、これら装置の制御を行う制御部Ｄとを備え、記憶部４１は、ＣＦ５とこのＣＦ５を駆動する図示しない駆動回路などから構成されている。制御部Ｄは、ログ情報を記録する第２のログ記録手段としての内部メモリＤ１と、この内部メモリＤ１に記録されたログの解析を行う解析手段としての解析部Ｄ２とを備え、記憶部４１にセットされたＣＦ５からログ情報を取り出して内部メモリＤ１に記録しており、解析部Ｄ２は、内部メモリＤ１内のログの解析を行い、その解析結果に基づいて、警告装置４３を制御して警告を発生させ、また表示器４２の表示制御を行って警告表示を行う。さらに制御部Ｄは、記憶部４１にセットされたＣＦ５から画像データを取り出して表示器４２に表示させる表示制御も行っている。
【００３４】
次に、この画像ファイリングシステムの画像記録動作を図４および図５のフローチャートに基づいて説明する。図４は、図３に示した外部装置２ｂの実施の形態１にかかる画像記録動作を説明するためのフローチャートであり、図５は、図３に示した表示装置４の実施の形態１にかかる画像記録動作を説明するためのフローチャートである。まず、図４において、外部装置２ｂの制御部Ｃは、カプセル型内視鏡３から画像データを受信すると（ステップ１０１）、この画像データをＣＦ５に記録する（ステップ１０２）。これとともに、記録状態検知部Ｃ２は、この画像記録に関するログ情報を生成し（ステップ１０３）、生成したログ情報を内部メモリＣ４に記録し、さらに制御部Ｃによってこの内部メモリＣ４内のログ情報がＣＦ５に記録される（ステップ１０４）。
【００３５】
この外部装置２ｂによる画像データの記録がなされたＣＦ５は、外部装置２ｂから取り出されてＷＳ４に挿入されて、図５において、ＷＳ４による画像データ取り込みの通信が開始される（ステップ１１０）。ここで、制御部Ｄは、ＣＦ５に記録されたログ情報をダウンロードして、内部メモリＤ１に記録し（ステップ１１１）、このログ情報を解析部Ｄ２によって解析して、画像記録は全て正常に行われたかどうか判断する（ステップ１１２）。
【００３６】
ここで、画像記録が全て正常に行われた場合には、制御部Ｄは、ＣＦ５に記録された画像データをダウンロードし（ステップ１１３）、たとえば表示器４２へ画像データを表示させて医師による診断を可能にして通信を終了する（ステップ１１４）。また、ログ情報の解析によって画像記録が全て正常に行われていない場合には、制御部Ｄは、解析部Ｄ２による解析結果からＣＦ５の容量不足かどうか判断する（ステップ１１５）。
【００３７】
ここで、ＣＦ５の容量不足の場合には、制御部Ｄは、ステップ１１３，１１４において、ＣＦ５に記録されている画像データは、正常な画像データなので、その画像データをダウンロードして、たとえば表示器４２へ画像データを表示させて医師による診断を可能にして通信を終了する。また、ログ情報の解析によってＣＦ５の容量不足でない場合には、制御部Ｄは、解析部Ｄ２による解析結果からメディアであるＣＦ５の不良であるかどうか判断する（ステップ１１６）。
【００３８】
ここで、メディアの不良の場合には、制御部Ｄは、メディア不良である旨の警告を警告装置４３が発生するように制御し、さらに表示器４２の図６に示すダウンロードの表示ウィンドウ上に、メディア不良である旨の表示を行わせる（ステップ１１７）。そして、この表示ウィンドウ上に画像データのダウンロードを続行するか、キャンセルするかのボタン表示を合わせて行い、作業者である医師にこのいずれかのボタンをクリックさせて確認させることで、画像をダウンロードするかどうか判断する（ステップ１１９）。そして、画像をダウンロードする場合には、上記と同様に、制御部Ｄは、ステップ１１３，１１４において、ＣＦ５に記録されている画像データをダウンロードし、このダウンロード終了後にたとえば表示器４２へ画像データを表示させて通信を終了する。また、画像をダウンロードしない場合には、上記の画像記録動作を終了する。この場合も、たとえばダウンロードしない旨の表示を表示器４２に表示させることも可能である。
【００３９】
また、ステップ１１６において、メディアの不良ではない場合には、制御部Ｄは、受信装置２の不良と判断して、受信装置２の不良である旨の警告を警告装置４３から発生させるとともに、その旨の表示を表示器４２の表示画面に表示させる（ステップ１１８）。この場合も、上記のメディア不良の場合と同様に、ダウンロードの表示ウィンドウ上に受信装置不良である旨の表示と、画像データのダウンロードを続行するか、キャンセルするかのボタン表示を合わせて行い、作業者である医師にこのいずれかのボタンをクリックさせて確認させることで、画像をダウンロードするかどうか判断する（ステップ１１９）。そして、画像をダウンロードする場合には、上記と同様に、制御部Ｄは、ステップ１１３，１１４において、ＣＦ５に記録されている画像データをダウンロードし、このダウンロード終了後に表示器４２へ画像データを表示させて通信を終了する。また、画像をダウンロードしない場合には、上記の画像記録動作を終了する。
【００４０】
このように、この実施の形態では、画像記録装置である受信装置の画像記録のエラー状態を記録状態検知部で検知し、この検知結果に基づくログ情報をログ生成部で生成し、このログ情報を記録した画像情報とともにＣＦに記録し、画像ファイリング装置であるＷＳに送出し、このＷＳでログの解析を行って画像データをダウンロードするかどうか判断するので、画像情報を記録する画像記録装置と、この画像情報をファイリングして表示する画像ファイリング装置との間で、動作状態の確認を行うためのログの受け渡しを行うことができ、これにより画像ファイリング装置が画像記録装置の動作状態を確認して画像情報を得ることができる。
【００４１】
なお、生成されたログ情報は、ＣＦ５内に記録されるが、たとえばＣＦ５の容量不足の場合でも、このログの記録容量は少ない容量で済むので、十分に対応することが可能である。また、ログ情報をＣＦ５内に記録するときに、たとえば上記の容量不足が発生した場合に、すでにＣＦ５に記録された古いログ情報に上書きする形で、新しいログ情報を書き込むようにすることでも、ＣＦ５の容量不足に対応することが可能である。
【００４２】
また、この発明では、受信装置と表示装置を通信ケーブルで接続させ、この通信ケーブルを介して画像データを受信装置から表示装置に通信することも可能である。この場合には、内部メモリに記録させたログ情報を上記通信ケーブルを介してハードディスクに記録させた画像データとともに表示装置に通信し、または内部メモリに記録させたログ情報を一旦ハードディスクに記録させた後に、このログ情報を画像データとともに表示装置４に通信することで、実施の形態１と同様に、画像記録装置と画像ファイリング装置との間で、動作状態の確認を行うためのログの受け渡しを行うことができ、これにより画像ファイリング装置が画像記録装置の動作状態を確認して画像情報を得ることができる。なお、この場合、前者ではハードディスクの容量不足やメディア不良の影響を受けることなくログ情報を送信することができ、後者ではハードディスクからのログ情報と画像データの迅速な読み出しおよび送信を可能とする。
【００４３】
（実施の形態２）
図７は、図１に示した外部装置と表示装置の実施の形態２にかかる要部である画像ファイリングシステムを示すブロック図である。なお、この図において、図３の実施の形態１と同様の構成部分に関しては、説明の都合上、同一符号を付記するものとする。
【００４４】
図７において、図３の実施の形態１と異なる点は、制御部Ｃが電力供給部１７の乾電池の充電状態を検知する検知手段としての充電状態検知部Ｃ５を備え、この充電状態検知部Ｃ５による充電状態の検知結果に基づいて、ログ生成部Ｃ３がログ情報を生成する点と、外部装置２ｂとＷＳ４が互いのインターフェース部１８，４４を介して通信ケーブル６で接続されている点である。すなわち、この充電状態検知部Ｃ５は、乾電池１７の充電状態を検知するもので、この検知内容としては、たとえば乾電池がフル充電状態、画像の取り込み時に８時間の動作が可能な充電状態、８時間の動作が不可能な充電状態のいずれかの動作状態にあるかを検知しており、ログ生成部Ｃ３は、この３つの動作状態に対応するログ情報を生成し、このログ情報を内部メモリＣ４に順次記録している。制御部Ｃは、たとえば受信装置２の初期設定の際に、内部メモリＣ４に記録されたログ情報を、インターフェース部１８および通信ケーブル６を介してＷＳ４に送信している。なお、この乾電池の充電状態のチェックは、受信装置の出荷時に行うことも可能である。
【００４５】
ＷＳ４は、上記のインターフェース部４４を有し、通信ケーブル６を介して受信したログ情報を内部メモリＤ１に記録しており、解析部Ｄ２は、内部メモリＤ１内のログの解析を行い、その解析結果に基づいて、警告装置４３を制御して警告を発生させ、また表示器４２の表示制御を行って警告表示を行う。
【００４６】
次に、この画像ファイリングシステムの初期設定動作を図８および図９のフローチャートに基づいて説明する。図８は、図７に示した画像ファイリングシステムの実施の形態２にかかる初期設定動作の概略を説明するためのフローチャートであり、図９は、図７に示した表示装置（ＷＳ）４の実施の形態２にかかる初期設定動作を説明するためのフローチャートである。まず、図８において、ＷＳ４の制御部Ｄは、図示しない入力手段によって、初期設定のための所定の設定入力および検査ＩＤなどの検査情報の入力が行われると（ステップ２０１，２０２）、外部装置２ｂとの間で通信を開始して、これら情報を送信する（ステップ２０３）。外部装置２ｂは、これら情報を受信すると、受信装置２の初期化を行い（ステップ２０４）、充電状態検知部Ｃ５が電力供給部１７の充電状態を検知し、ログ生成部Ｃ３がこの充電状態によるログ情報を生成し、このログ情報を内部メモリＣ４に記録するとともに、制御部Ｃが、このログ情報をＷＳ４に送信して（ステップ２０５）、上記通信を終了する（ステップ２０６）。
【００４７】
図９において、ＷＳ４は、ステップ２１０で外部装置２ｂとの間で通信が開始されると（ステップ２０３に相当）、制御部Ｄは、ログ情報のダウンロードして、内部メモリＤ１に記録し（ステップ２１１）、このログ情報を解析部Ｄ２によって解析して、乾電池１７がフル充電状態にあるかどうか判断する（ステップ２１２）。
【００４８】
ここで、乾電池１７の充電状態がフル充電の場合には、検査ＩＤなどの検査情報を外部装置２ｂに送信して（ステップ２１３）、上記初期設定のための通信動作を終了する（ステップ２１４）。また、ログ情報の解析によって乾電池１７がフル充電状態にない場合には、８時間もつか、すなわち画像の取り込み時に８時間の動作が可能な充電状態にあるかどうか判断する（ステップ２１５）。
【００４９】
ここで、乾電池１７の充電状態が８時間の使用に耐えられる場合には、所定の検査が行えると判断し、上記ステップ２１３に進んで外部装置２ｂへ検査ＩＤなどの検査情報の送信を行って、上記初期動作を終了する（ステップ２１４）。また、乾電池が８時間の使用に耐えられない場合には、制御部Ｄは、被検体１内の画像取得を行うための乾電池の充電が足りないと判断し、充電が足りない旨の警告を警告装置４３から発生させ、また表示器４２の表示制御を行って、たとえば表示器４２の初期設定の表示ウィンドウ上に警告表示を行う（ステップ２１６）。
【００５０】
次に、制御部Ｄは、無駄な駆動を避けるために、受信装置２の電源を落とすための指示を外部装置２ｂに送信して（ステップ２１７）、上記初期動作を終了する（ステップ２１４）。
【００５１】
このように、この実施の形態では、画像記録装置である受信装置の乾電池の充電状態、すなわち受信装置の可能な動作状態を充電状態検知部で検知し、この検知結果に基づくログ情報をログ生成部で生成し、このログ情報を取得した画像情報とともに画像ファイリング装置であるＷＳに送信し、このＷＳでログの解析を行って検査情報の送信の有無を判断するので、画像情報を記録する画像記録装置と、この画像情報をファイリングして表示する画像ファイリング装置との間で、動作状態の確認を行うためのログの受け渡しを行うことができ、これにより画像ファイリング装置が画像記録装置の動作状態を確認して初期設定を的確に行い、画像情報を得ることができる。
【００５２】
なお、この実施の形態では、通信ケーブルを用いてログ情報や検査情報の通信などを行ったが、本発明はこれに限らず、実施の形態１で示したＣＦを用いて情報のやり取りを行うことも可能である。
【００５３】
（実施の形態３）
次に、図１０、図１１のフローチャートを用いて、実施の形態３を説明する。この実施の形態で、実施の形態２と異なる点は、ＷＳ４から受信装置２の乾電池１７の充電状態に応じて、受信装置２の動作変更のための設定が可能である点である。すなわち、この実施の形態では、変更手段としてのＷＳ４の制御部Ｄが、受信装置２の乾電池１７がフル充電未満で８時間以上の充電状態の場合に、無条件で検査を続行するのかどうかの確認動作をたとえばＷＳ４もしくは表示器４２に表示させて、作業者である医師などに確認を求めて被検者の検査続行を決めるのである（図７参照）。
【００５４】
そこで、この実施の形態では、図１０のフローチャートにより必要に応じて受信装置の動作を変更する。ＷＳ４は、ステップ３０１で受信装置２と通信を開始すると、ステップ３０２で充電時間がフル充電未満で８時間以上の場合に、充電状態による受信装置２の動作を確認するために、受信装置２の動作を示す設定情報を読み込み、受信装置２が設定情報をＷＳ４に送信する。ステップ３０３でＷＳ４において、図示しないＧＵＩで受信装置２の設定を確認し、必要に応じて変更し、ステップ３０４で受信装置２の設定情報を受信装置に送信し、受信装置２に書き込んだ後に、ステップ３０５で通信を終了する。このフローチャートは、たとえばシステム納品時または、ユーザが設定変更を望んだ場合に行うようにすればよい。
【００５５】
図１１での受信装置２の初期設定動作は図９と同様に行うが、図９と異なる点は、ステップ３１５において、充電が８時間以上もつと判断された場合に、ステップ３１８で検査を続行する設定かどうかを判断し、続行するモードの場合は、ステップ３１３で検査ＩＤなどの検査情報を送信し、通信を終了する（ステップ３１４）。充電が８時間以上もつ場合に続行するモードでない場合（ステップ３０５のＮｏの場合）は、ステップ３１６で充電が足りないと警告する流れに入る点である。
【００５６】
このように、この実施の形態では、充電状態検知部が検知した乾電池の充電時間がフル充電未満で８時間以上の場合に、無条件で検査を続行するか、動作設定の変更を行うか、ＷＳにより設定できるので、画像ファイリング装置が画像記録装置の動作状態を確認して初期設定を、さらに的確に行い、画像情報を得ることができる。
【００５７】
また、これら実施の形態では、カプセル型内視鏡から画像データを取得する無線型被検体内情報取得システムにおける画像ファイリングシステムについて説明したが、本発明はこれに限らず、たとえば情報取得装置で取得した所定の情報を、別のファイリング装置にファイリングする際に、ログ情報を生成するものであれば、いずれのシステムでも応用が可能である。
【図面の簡単な説明】
【００５８】
【図１】本発明にかかる受信装置および表示装置を備えた無線型被検体内情報取得システムの全体構成を示す模式図である。
【図２】図１に示した受信装置の構成を示すブロック図である。
【図３】図１に示した外部装置と表示装置の実施の形態１にかかる要部である画像ファイリングシステムを示すブロック図である。
【図４】図３に示した外部装置の実施の形態１にかかる画像記録動作を説明するためのフローチャートである。
【図５】図３に示した表示装置の実施の形態１にかかる画像記録動作を説明するためのフローチャートである。
【図６】図３に示した表示器の画面上に表示されるダウンロードの表示ウィンドウの一例を示す図である。
【図７】図１に示した外部装置と表示装置の実施の形態２にかかる要部である画像ファイリングシステムを示すブロック図である。
【図８】図７に示した画像ファイリングシステムの実施の形態２にかかる初期設定動作の概略を説明するためのフローチャートである。
【図９】図７に示した表示装置の実施の形態３にかかる初期設定動作を説明するためのフローチャートである。
【図１０】図７に示した画像ファイリングシステムの実施の形態３にかかる初期設定動作の概略を説明するためのフローチャートである。
【図１１】図７に示した表示装置の実施の形態３にかかる初期設定動作を説明するためのフローチャートである。
【符号の説明】
【００５９】
１  被検体
２  受信装置
２ａ  受信ジャケット
２ｂ  外部装置
３  カプセル型内視鏡
４  表示装置（ＷＳ）
５  携帯型記録媒体（ＣＦ）
６  通信ケーブル
１１  受信回路
１２  信号処理回路
１３，４１  記憶部
１４  表示部
１５  サンプルホールド回路
１６  Ａ／Ｄ変換部
１７  電力供給部（乾電池）
１８，４４  インターフェース部
４２  表示器
４３  警告装置
Ａ１〜Ａｎ  受信用アンテナ
Ｃ，Ｄ  制御部
Ｃ１  選択制御部
Ｃ２  記録状態検知部
Ｃ３  ログ生成部
Ｃ４，Ｄ１  内部メモリ
Ｃ５  充電状態検知部
ＣＯＮ  接続部
Ｄ２  解析部
ＳＣ  切替制御部
ＳＷ  切替スイッチ
【図１】
2006155242.tif 000003
【図２】
2006155242.tif 000004
【図３】
2006155242.tif 000005
【図４】
2006155242.tif 000006
【図５】
2006155242.tif 000007
【図６】
2006155242.tif 000008
【図７】
2006155242.tif 000009
【図８】
2006155242.tif 000010
【図９】
2006155242.tif 000011
【図１０】
2006155242.tif 000012
【図１１】
2006155242.tif 000013